(57)【要約】【課題】加入者側装置それぞれで受光レベルに差がある場合が多いため、受光レベル差を識別して応答できる高速応答性や、広い受光ダイナミックレンジが必要となってしまっていた。【解決手段】加入者側装置からの信号を受信する受信手段と、受信手段による受信レベルを測定する受信レベル測定手段とを備え、加入者側装置によるデータ送信休止期間の間に、予め定められた時間連続した測定用パターンを加入者側装置に送出させる送出指示手段を備える。また、受信レベル測定手段により測定された加入者側装置からの測定用パターンの受信レベルに基づいて、その加入者側装置から受信される受信信号に対する信号認識方法を制御する認識制御手段を備える。【選択図】図２
2010109702.tif 000002
【特許請求の範囲】
【請求項１】
複数の加入者側装置に接続されて用いられる局側装置であって、
前記加入者側装置からの信号を受信する受信手段と、
前記受信手段による受信レベルを測定する受信レベル測定手段と、
前記加入者側装置によるデータ送信休止期間の間に、予め定められた時間連続した測定用パターンを前記加入者側装置に送出させる送出指示手段と、
前記受信レベル測定手段により測定された前記加入者側装置からの前記測定用パターンの受信レベルに基づいて、該加入者側装置から受信される受信信号に対する信号認識方法を制御する認識制御手段と、を備えたことを特徴とする局側装置。
【請求項２】
前記信号認識方法の制御は、前記受信手段により受信された信号に対する増幅度の制御であり、
前記認識制御手段は、前記各加入者側装置について、当該加入者側装置から受信された光信号レベルまたは／および該加入者側装置からの受信信号に対する増幅度を格納する格納手段を備えたことを特徴とする請求項１記載の局側装置。
【請求項３】
前記信号認識方法の制御は、前記受信手段により受信された信号を認識する閾値の制御であり、
前記認識制御手段は、前記各加入者側装置について、当該加入者側装置から受信された光信号レベルまたは／および該加入者側装置からの受信信号に対する前記閾値を格納する格納手段を備えたことを特徴とする請求項１記載の局側装置。
【請求項４】
前記認識制御手段は、前記加入者側装置から受信された光信号レベルを前記増幅度に関連付けた認識方法変換テーブルを備え、該認識方法変換テーブルに基づいて前記増幅度の制御を行うことを特徴とする請求項２記載の局側装置。
【請求項５】
前記認識制御手段は、前記加入者側装置から受信された光信号レベルを前記閾値に関連付けた認識方法変換テーブルを備え、該認識方法変換テーブルに基づいて前記閾値の制御を行うことを特徴とする請求項３記載の局側装置。
【請求項６】
請求項１から５の何れか１項に記載の局側装置に、光伝送路を介して、複数の加入者側装置が接続されて構成されたことを特徴とする光通信システム。
【請求項７】
複数の加入者側装置に接続されて用いられる局側装置の受信制御方法であって、
前記加入者側装置によるデータ送信休止期間の間に、予め定められた時間連続した測定用パターンを前記加入者側装置に送出させる送出指示工程と、
前記測定用パターンの受信レベルを測定する受信レベル測定工程と、
前記受信レベル測定工程により測定された前記加入者側装置からの前記測定用パターンの受信レベルに基づいて、該加入者側装置から受信される受信信号に対する信号認識方法を制御する認識制御工程と、を備えたことを特徴とする受信制御方法。
【請求項８】
前記信号認識方法の制御は、前記加入者側装置から受信された信号に対する増幅度の制御であり、
前記認識制御工程では、前記各加入者側装置について、当該加入者側装置から受信された光信号レベルまたは／および該加入者側装置からの受信信号に対する増幅度を格納手段に格納し、該格納された該加入者側装置についての情報に基づいて該加入者側装置からの受信信号に対する増幅度を制御することを特徴とする請求項７記載の受信制御方法。
【請求項９】
前記信号認識方法の制御は、前記加入者側装置から受信された信号を認識する閾値の制御であり、
前記認識制御工程では、前記各加入者側装置について、当該加入者側装置から受信された光信号レベルまたは／および該加入者側装置からの受信信号に対する前記閾値を格納手段に格納し、該格納された該加入者側装置についての情報に基づいて該加入者側装置からの受信信号に対する閾値を制御することを特徴とする請求項７記載の受信制御方法。
【請求項１０】
前記認識制御工程では、前記加入者側装置から受信された光信号レベルを前記増幅度に関連付けた認識方法変換テーブルに基づいて前記増幅度の制御を行うことを特徴とする請求項８記載の受信制御方法。
【請求項１１】
前記認識制御工程では、前記加入者側装置から受信された光信号レベルを前記閾値に関連付けた認識方法変換テーブルに基づいて前記閾値の制御を行うことを特徴とする請求項９記載の受信制御方法。
【請求項１２】
複数の加入者側装置に接続されて用いられる局側装置の受信制御プログラムであって、
前記加入者側装置によるデータ送信休止期間の間に、予め定められた時間連続した測定用パターンを前記加入者側装置に送出させる送出指示処理と、
前記測定用パターンの受信レベルを測定する受信レベル測定処理と、
前記受信レベル測定処理により測定された前記加入者側装置からの前記測定用パターンの受信レベルに基づいて、該加入者側装置から受信される受信信号に対する信号認識方法を制御する認識制御処理と、を前記局側装置のコンピュータに実行させることを特徴とする受信制御プログラム。
【請求項１３】
前記信号認識方法の制御は、前記加入者側装置から受信された信号に対する増幅度の制御であり、
前記認識制御処理では、前記各加入者側装置について、当該加入者側装置から受信された光信号レベルまたは／および該加入者側装置からの受信信号に対する増幅度を格納手段に格納し、該格納された該加入者側装置についての情報に基づいて該加入者側装置からの受信信号に対する増幅度を制御することを特徴とする請求項１２記載の受信制御プログラム。
【請求項１４】
前記信号認識方法の制御は、前記加入者側装置から受信された信号を認識する閾値の制御であり、
前記認識制御処理では、前記各加入者側装置について、当該加入者側装置から受信された光信号レベルまたは／および該加入者側装置からの受信信号に対する前記閾値を格納手段に格納し、該格納された該加入者側装置についての情報に基づいて該加入者側装置からの受信信号に対する閾値を制御することを特徴とする請求項１２記載の受信制御プログラム。
【請求項１５】
前記認識制御処理では、前記加入者側装置から受信された光信号レベルを前記増幅度に関連付けた認識方法変換テーブルに基づいて前記増幅度の制御を行うことを特徴とする請求項１３記載の受信制御プログラム。
【請求項１６】
前記認識制御処理では、前記加入者側装置から受信された光信号レベルを前記閾値に関連付けた認識方法変換テーブルに基づいて前記閾値の制御を行うことを特徴とする請求項１４記載の受信制御プログラム。
【発明の詳細な説明】
【技術分野】
【０００１】
本発明は、例えばＰＯＮ（Passive Optical Network）システムやＧ−ＰＯＮ（Gigabit-PON）システムなどの光通信システムに用いられる局側装置、光通信システム、受信制御方法、および受信制御プログラムに関する。
【背景技術】
【０００２】
一般に、ＰＯＮシステムは、局側装置（ＯＬＴ；Optical Line Terminal）に、光ファイバーなどの光伝送路と、光カプラとを経由して、多数の加入者側装置（ＯＮＵ；Optical Network Unit）が接続されて構成される。
こうした光通信システムのＯＬＴでは、一般に、予め定められた共通の受信レベルにより各ＯＮＵから受信した光信号を認識する。
【０００３】
図８に、こうしたＯＬＴにおける光バースト受信回路のブロック図を示す。
受信回路は、光受信信号を電気信号に変換する受光素子（以下、ＰＤ）２１と、ＰＤ２１の低レベルの電気受信信号を増幅する前置増幅器２２と、受信レベルを増幅安定化する自動閾値制御回路（以下、ＡＴＣ）２３と、受信レベルの上限をリミットするＬＩＭ増幅器（以下、ＬＩＭ）２４と、受信信号のパルス列をリタイミングするタイミング回路（以下、ＴＩＭ）２５とを備えて構成されている。
【０００４】
また、本発明の関連技術として、加入者側装置からの光信号を検出し、検出された光入力強度の値を読み取ってメモリに記憶し、同一の加入者からの光信号入力が予想される前の時点で、記憶した値に基づいて利得制御回路の制御量を決定する受信増幅器がある（例えば、特許文献１参照）。
【０００５】
また、本発明の関連技術として、受信レベルの異なる複数のバースト信号を受信し、受信レベルに基づいて適正閾値電圧を格納し、対応するバースト信号を受信する際にその閾値により０／１レベル判定を行うようバースト信号受信装置がある（例えば、特許文献２参照）。
【特許文献１】特開２００５−２０４１７号公報
【特許文献２】特開２００１−７８６８号公報
【発明の開示】
【発明が解決しようとする課題】
【０００６】
しかしながら、上述した一般的なＯＬＴの受信回路では、ＯＬＴからＯＮＵまでの距離にバラツキがあるなど、ＯＮＵそれぞれで受光レベルに差がある場合が多いため、受光レベル差を識別して応答できる高速応答性や、広い受光ダイナミックレンジが必要となってしまっていた。
このため受信回路の設計がむずかしくなり、また回路規模が大きくなるという問題があった。
【０００７】
また、上述した特許文献１，２のものは、加入者側装置からデータ送信期間に送出される実データにおける受信信号の強度に基づいて、増幅度または閾値を制御しようとするものであった。
しかし、個々の加入者側装置が連続して送出する実データの時間は、短い場合が一般的である。これに対し、受信レベルを測定するためにはある一定時間以上のデータ入力時間が必要である。
このように、上述した特許文献１，２のものは、受信レベルを確実に測定して精度の高い受信制御を行うことについてまで考慮されたものではなかった。
【０００８】
本発明はこのような状況に鑑みてなされたものであり、加入者側装置からの受信レベルを確実に測定することができ、このことにより高速応答性や受光ダイナミックレンジの広さをそれほど要求されることなく、精度の高い受信制御を行うことができる局側装置、光通信システム、受信制御方法、および受信制御プログラムを提供することを目的とする。
【課題を解決するための手段】
【０００９】
かかる目的を達成するために、本発明に係る局側装置は、複数の加入者側装置に接続されて用いられる局側装置であって、上記加入者側装置からの信号を受信する受信手段と、上記受信手段による受信レベルを測定する受信レベル測定手段と、上記加入者側装置によるデータ送信休止期間の間に、予め定められた時間連続した測定用パターンを上記加入者側装置に送出させる送出指示手段と、上記受信レベル測定手段により測定された上記加入者側装置からの上記測定用パターンの受信レベルに基づいて、該加入者側装置から受信される受信信号に対する信号認識方法を制御する認識制御手段と、を備えたことを特徴とする。
【００１０】
また、本発明に係る光通信システムは、上述した本発明に係る局側装置に、光伝送路を介して、複数の加入者側装置が接続されて構成されたことを特徴とする。
【発明の効果】
【００１１】
以上のように、本発明によれば、加入者側装置からの受信レベルを確実に測定することができ、このことにより高速応答性や受光ダイナミックレンジの広さをそれほど要求されることなく、精度の高い受信制御を行うことができる。
【発明を実施するための最良の形態】
【００１２】
次に、本発明に係る局側装置、光通信システム、受信制御方法、および受信制御プログラムをＰＯＮシステムのＯＬＴに適用した一実施形態について、図面を用いて詳細に説明する。
本実施形態は、各ＯＮＵからの受信レベルから増幅率もしくは閾値をＯＬＴが調整することで、受光感度の向上を実現するものである。
【００１３】
図１に、本実施形態としてのＰＯＮシステムの構成例を示す。
ＯＬＴ２と３つのＯＮＵ１とは、光ファイバによる光伝送路と光スターカプラ（分岐手段）３とを介して通信可能に接続されている。ＯＬＴ２と各ＯＮＵ１との距離は通常ばらつきがあり、図１に示す例ではＯＮＵ１ａ＞ＯＮＵ１ｂ＞ＯＮＵ１ｃの関係で、ＯＮＵ１ａが一番ＯＬＴ２から遠い距離にある。このＯＬＴとＯＮＵの距離のばらつきは、ＯＬＴ側で受信信号のレベルのばらつきとなって現れることがある。
【００１４】
ＯＬＴ２の送信レベルは各ＯＮＵに対して同じであるので、各ＯＮＵ１の受信入力部では、下り信号として示されるように、距離に応じて受光レベルの異なる信号を受けることになる。また、各ＯＮＵ１からの送信出力が上り信号として示されるように同一レベルの信号を送り出すので、ＯＬＴ２の受信入力部では、大小のレベル差を持つバースト信号を受光することとなる。
【００１５】
〔第１の実施形態〕
次に、第１の実施形態としてのＯＬＴ２の構成について、図２を参照して説明する。
ＯＬＴ２は、光信号を電気信号に変換する受光素子１１（ＰＤ１１）と、ＰＤ１１の出力する低レベルの電気信号を増幅する前置増幅器１２と、受信レベルを増幅し安定化する自動閾値制御回路１３（ＡＴＣ１３）と、受信信号のパルス増幅をリミットし振幅を揃えるリミット増幅器１４（ＬＩＭ１４）と、受信信号のパルス列をリタイミングして次段装置（図示せず）へ出力するタイミング回路１５（ＴＩＭ１５）とを備える。
【００１６】
また、ＯＬＴ２は、ＯＮＵ１ａからの受光レベルを保持するＯＮＵ１ａ受光レベル保持部１７ａと、ＯＮＵ１ｂからの受光レベルを保持するＯＮＵ１ｂ受光レベル保持部１７ｂと、ＯＮＵ１ｃからの受光レベルを保持するＯＮＵ１ｃ受光レベル保持部１７ｃとをさらに備える。
そして、受光素子１１の出力信号を入力し、次段装置（図示せす）受信タイミングに従い、ＯＮＵ１ａ受光レベル保持部１７ａか、ＯＮＵ１ｂ受光レベル保持部１７ｂもしくはＯＮＵ１ｃ受光レベル保持部１７ｄに選択して出力する受光レベルスケジューラ１６をさらに備える。
【００１７】
また、ＯＬＴ２は、受光レベルを増幅度へ変換する変換テーブル１８をさらに備える。
そして、ＯＮＵ１ａの増幅レベルを保持するＯＮＵ１ａ増幅度保持部１９ａと、ＯＮＵ１ｂの増幅レベルを保持するＯＮＵ１ｂ増幅度保持部１９ｂと、ＯＮＵ１ｃの増幅レベルを保持するＯＮＵ１ｃ増幅度保持部１９ｃと、ＯＮＵ１ａの増幅レベルかＯＮＵ１ｂの増幅レベルかもしくはＯＮＵ１ｃの増幅レベルを次段装置（図示せず）からの送出タイミングに従い、増幅度を選択する増幅度スケジューラ２０とをさらに備える。
【００１８】
また、ＯＬＴ２は、各ＯＮＵ１に送出タイミングを指示する送信指示部２１と、その送出タイミング指示内容に基づいて、各ＯＮＵ１からの受信タイミングを管理する受信タイミングスケジューラ２２とを備える。
送信指示部２１により各ＯＮＵ１に送出指示の制御信号を送信する構成については、公知のＯＬＴと同様のものであり、当業者によく知られたものであるため、説明を省略する。
【００１９】
次に、第１の実施形態の動作について、図１〜図５を参照して説明する。
図１で例示したように、ＯＬＴ２からのバースト信号は各ＯＮＵ１へ連続して送信される。
本実施形態では、図３に例示する２つの時間のような、各ＯＮＵ１からの送出データ間に設けられたガードタイム（バースト信号間の無信号領域）内に、各ＯＮＵ１から測定用パターンを送出させ、この測定用パターンにより受光レベルを測定する。
【００２０】
受光レベルを測定するためには、ある一定時間Ｔ以上のデータ入力時間が必要である。通常の受信時間で、一定時間Ｔ以上の連続受信がある場合は極めてまれであるため、本実施形態では、送信指示部２１により、各ＯＮＵ１に対して強制的に一定時間時間Ｔ以上の測定用パターンの強制送出指示を行うことで、受光レベル測定時間を確保し、受光レベル測定を可能とする。
この測定用パターンによる受信レベル測定のための時間は、１５７μｓ以上確保できることが好ましい。
【００２１】
受光レベル測定時間では、ＰＤ１１から入力される受信レベル信号を次段装置（図示せす）の受信タイミングに従い、受光レベルスケジューラ１６が、ＯＮＵ１ａからの受光レベルを保持するＯＮＵ１ａ受光レベル保持部１７ａか、ＯＮＵ１ｂからの受光レベルを保持するＯＮＵ１ｂ受光レベル保持部１７ｂもしくは、ＯＮＵ１ｃからの受光レベルを保持するＯＮＵ１ｃ受光レベル保持部１７ｃに保持する。
【００２２】
受信レベルは、受光レベルを増幅度に変換する変換テーブル（認識方法変換テーブル）１８により、増幅度に変換される。変換テーブル１８は、例えば図４に示すように、受光レベルと増幅度との対応関係を予め格納したものである。
【００２３】
この変換テーブル１８により、ＯＬＴ２は、ＯＮＵ１ａからの受光レベルを保持するＯＮＵ１ａ受光レベル保持部１７ａの受光レベルデータをＯＮＵ１ａの増幅レベルに変換し、ＯＮＵ１ａ増幅度保持部１９ａに保持する。
また、ＯＮＵ１ｂからの受光レベルを保持するＯＮＵ１ｂ受光レベル保持部１７ｂの受光レベルデータをＯＮＵ１ｂの増幅レベルに変換し、ＯＮＵ１ｂ増幅度保持部１９ｂに保持する。ＯＮＵ１ｃからの受光レベルを保持するＯＮＵ１ｃ受光レベル保持部１７ｃの受光レベルデータをＯＮＵ１ｃの増幅レベルに変換し、ＯＮＵ１ｃ増幅度保持部１９ｃに保持する。
【００２４】
通常のＯＮＵ１からのデータ受信時間には、ＯＬＴ２は、受信次段装置（図示せず）からの送出タイミングに従い、増幅度を選択する増幅度スケジューラ２０によって、データ送出を行うＯＮＵ１に応じた増幅レベルを、次段装置（図示せず）からの送出タイミングに従い、前置増幅器１２に入力し（認識制御手段）、図５に示す補正を可能とする。このことにより、大きな受光ダイナミックレンジを可能とする。
【００２５】
〔第２の実施形態〕
次に、第２の実施形態としてのＯＬＴ２の構成について、図６を参照して説明する。
ＯＬＴ２は、光信号を電気信号に変換する受光素子１１（ＰＤ１１）と、ＰＤ１１の出力する低レベルの電気信号を増幅する前置増幅器３２と、受信レベルを増幅し安定化する自動閾値制御回路３３（ＡＴＣ３３）と、受信信号のパルス増幅をリミットし振幅を揃えるリミット増幅器１４（ＬＩＭ１４）と、受信信号のパルス列をリタイミングして次段装置（図示せず）へ出力するタイミング回路１５（ＴＩＭ１５）とを備える。
【００２６】
また、ＯＬＴ２は、ＯＮＵ１ａからの受光レベルを保持するＯＮＵ１ａ受光レベル保持部１７ａと、ＯＮＵ１ｂからの受光レベルを保持するＯＮＵ１ｂ受光レベル保持部１７ｂと、ＯＮＵ１ｃからの受光レベルを保持するＯＮＵ１ｃ受光レベル保持部１７ｃと、受光レベルスケジューラ１６とを、上述した第１の実施形態と同様にさらに備える。
【００２７】
また、ＯＬＴ２は、受光レベルを、ＡＴＣ３３により受信信号を認識するための閾値へ変換する変換テーブル３８をさらに備える。
そして、ＯＮＵ１ａの閾値レベルを保持するＯＮＵ１ａ閾値保持部３９ａと、ＯＮＵ１ｂの閾値レベルを保持するＯＮＵ１ｂ閾値保持部３９ｂと、ＯＮＵ１ｃの閾値レベルを保持するＯＮＵ１ｃ閾値保持部３９ｃと、ＯＮＵ１ａの閾値レベルかＯＮＵ１ｂの閾値レベルかもしくはＯＮＵ１ｃの閾値レベルを次段装置（図示せず）からの送出タイミングに従い、閾値を選択する閾値スケジューラ４０とをさらに備える。
【００２８】
また、ＯＬＴ２は、各ＯＮＵ１に送出タイミングを指示する送信指示部２１と、その送出タイミング指示内容に基づいて、各ＯＮＵ１からの受信タイミングを管理する受信タイミングスケジューラ２２とを備える。
送信指示部２１により各ＯＮＵ１に送出指示の制御信号を送信する構成については、公知のＯＬＴと同様のものであり、当業者によく知られたものであるため、説明を省略する。
【００２９】
次に、第２の実施形態の動作について、図６、図７を参照して説明する。
図１で例示したように、ＯＬＴ２からのバースト信号は各ＯＮＵ１へ連続して送信される。
本実施形態では、上述した第１の実施形態と同様に、図３に例示する２つの時間のような、各ＯＮＵ１からの送出データ間に設けられたガードタイム（バースト信号間の無信号領域）内に、各ＯＮＵ１から測定用パターンを送出させ、この測定用パターンにより受光レベルを測定する。
【００３０】
第２の実施形態では、上述した第１の実施形態と同様に、送信指示部２１により、各ＯＮＵ１に対して強制的に一定時間時間Ｔ以上の測定用パターンの強制送出指示を行うことで、受光レベル測定時間を確保し、受光レベル測定を可能とする。この測定用パターンによる受信レベル測定のための時間は、１５７μｓ以上確保できることが好ましい。
【００３１】
受光レベル測定時間では、ＰＤ１１から入力される受信レベル信号を次段装置（図示せす）の受信タイミングに従い、受光レベルスケジューラ１６が、ＯＮＵ１ａからの受光レベルを保持するＯＮＵ１ａ受光レベル保持部１７ａか、ＯＮＵ１ｂからの受光レベルを保持するＯＮＵ１ｂ受光レベル保持部１７ｂもしくは、ＯＮＵ１ｃからの受光レベルを保持するＯＮＵ１ｃ受光レベル保持部１７ｃに保持する。
【００３２】
受信レベルは、受光レベルを閾値に変換する変換テーブル（認識方法変換テーブル）３８により、閾値に変換される。変換テーブル３８は、受光レベルと閾値との対応関係を予め格納したものである。
【００３３】
この変換テーブル３８により、ＯＬＴ２は、ＯＮＵ１ａからの受光レベルを保持するＯＮＵ１ａ受光レベル保持部１７ａの受光レベルデータをＯＮＵ１ａの閾値レベルに変換し、ＯＮＵ１ａ閾値保持部３９ａに保持する。
また、ＯＮＵ１ｂからの受光レベルを保持するＯＮＵ１ｂ受光レベル保持部１７ｂの受光レベルデータをＯＮＵ１ｂの閾値レベルに変換し、ＯＮＵ１ｂ閾値保持部３９ｂに保持する。ＯＮＵ１ｃからの受光レベルを保持するＯＮＵ１ｃ受光レベル保持部１７ｃの受光レベルデータをＯＮＵ１ｃの閾値レベルに変換し、ＯＮＵ１ｃ閾値保持部３９ｃに保持する。
【００３４】
通常のＯＮＵ１からのデータ受信時間には、ＯＬＴ２は、受信次段装置（図示せず）からの送出タイミングに従い、閾値を選択する閾値スケジューラ４０によって、データ送出を行うＯＮＵ１に応じた閾値レベルを、次段装置（図示せず）からの送出タイミングに従い、ＡＴＣ３３に入力し（認識制御手段）、図７に示す補正を可能とする。このことにより、大きな受光ダイナミックレンジを可能とする。
【００３５】
〔各実施形態について〕
以上のように、上述した各実施形態によれば、各ＯＮＵ１に、所定時間以上連続した受光レベル測定のための測定用パターンを実データの休止期間に送出させることにより、ＯＬＴ２は各ＯＮＵ１からの受信レベルを確実に測定することができる。このため、ＯＬＴ２は、高速応答性や受光ダイナミックレンジの広さをそれほど要求されることなく、精度の高い受信制御を行うことができる。
【００３６】
換言すると、ＯＬＴの光受信回路は、図１に示すようにＯＬＴと各ＯＮＵの距離の長短により生じる受光レベルの異なるバースト光信号を受信するために、ガードタイム（バースト信号間の無信号領域）内の測定用パターンを用い、受信レベルを確実に測定することができる。
【００３７】
このため、大きな受光ダイナミックレンジを得ることができ、またバースト信号のレベル追従性も高速動作が要求されず、性能も向上するという効果がある。
また、言い換えれば、受光ダイナミックレンジを広くとれることで、長距離、大きな距離差の収容を可能とする。
【００３８】
なお、上述した各実施形態は本発明の好適な実施形態であり、本発明はこれに限定されることなく、本発明の技術的思想に基づいて種々変形して実施することが可能である。
例えば、上述した実施形態ではＯＮＵが３台である場合を例として説明したが、ＯＮＵの台数はＯＬＴによる所定の収容可能台数以内で任意の数であってよい。
【００３９】
また、上述した第１の実施形態では、受光レベルと増幅度の両方を保持することとして説明したが、何れか一方を保持する構成であっても本発明は同様に実現することができる。
【００４０】
また、上述した第２の実施形態では、受光レベルと閾値の両方を保持することとして説明したが、何れか一方を保持する構成であっても本発明は同様に実現することができる。
【００４１】
また、上述した各実施形態としてのＯＬＴを実現するための処理手順をプログラムとして記録媒体に記録することにより、本発明の各実施形態による上述した各機能を、その記録媒体から供給されるプログラムによって、システムを構成するコンピュータのＣＰＵに処理を行わせて実現させることができる。
この場合、上記の記録媒体により、あるいはネットワークを介して外部の記録媒体から、プログラムを含む情報群を出力装置に供給される場合でも本発明は適用されるものである。
すなわち、記録媒体から読み出されたプログラムコード自体が本発明の新規な機能を実現することになり、そのプログラムコードを記憶した記録媒体および該記録媒体から読み出された信号は本発明を構成することになる。
この記録媒体としては、例えばフレキシブルディスク、ハードディスク、光ディスク、光磁気ディスク、ＣＤ-ＲＯＭ、ＣＤ-Ｒ、ＣＤ-ＲＷ、ＤＶＤ-ＲＯＭ、ＤＶＤ-ＲＡＭ、ＤＶＤ-ＲＷ、ＤＶＤ+ＲＷ、磁気テープ、不揮発性のメモリーカード、ＲＯＭ等を用いてよい。
【００４２】
この本発明に係るプログラムによれば、当該プログラムによって制御されるＯＬＴに、上述した各実施形態における各機能を実現させることができる。
【図面の簡単な説明】
【００４３】
【図１】本発明の実施形態としてのＰＯＮシステムの構成例を示すブロック図である。
【図２】第１の実施形態としてのＯＬＴ２の構成例を示すブロック図である。
【図３】ＰＤ１１による各ＯＮＵ１からの受信信号例を示す図である。
【図４】変換テーブル１８による対応関係例を示す図である。
【図５】第１の実施形態による各ＯＮＵ１に対する増幅度補正の例を示す図である。
【図６】第２の実施形態としてのＯＬＴ２の構成例を示すブロック図である。
【図７】第１の実施形態による各ＯＮＵ１に対する閾値補正の例を示す図である。
【図８】一般的なＯＬＴの受信回路を示すブロック図である。
【符号の説明】
【００４４】
１    ＯＮＵ
２    ＯＬＴ
３    光スターカプラ
１２、３２    前置増幅器
１３、３３    ＡＴＣ
１６    受光レベルスケジューラ
１７    受光レベル保持部
１８、３８    変換テーブル
１９    増幅度保持部
２０    増幅度スケジューラ
２１    送信指示部
２２    受信タイミングスケジューラ
３９    閾値保持部
４０    閾値スケジューラ
【図１】
2010109702.tif 000003
【図２】
2010109702.tif 000004
【図３】
2010109702.tif 000005
【図４】
2010109702.tif 000006
【図５】
2010109702.tif 000007
【図６】
2010109702.tif 000008
【図７】
2010109702.tif 000009
【図８】
2010109702.tif 000010